(57)【要約】【課題】袋体内に清拭シートが収納されている清拭具において、取出口からの清拭シートの取り出しを容易に行うことができ、しかも一枚ずつ確実に清拭シートを袋体から取り出すことができるようにする。【解決手段】袋体３の右連出部１１の連出端と左連出部１２の連出端とを近接対向させて、両連出端の間に清拭シート２の取出口１５を形成した。清拭シート２は、左右横長のシート基材の左右端部の少なくともいずれか一方が、上方側に折り返された折片４ａ・５ａを有するものとした。そして、清拭シート２を袋体３内に収納した状態において、清拭シート２の折片４ａ・５ａの左右端部が、袋体３の連出部１１・１２の連出端よりも左右内方寄りに位置して、取出口１５から上方に臨むように構成した。【選択図】図１
2009201870.tif 000002
【特許請求の範囲】
【請求項１】
重ねられた複数枚の清拭シート（２）と、これら清拭シート（２）を収納する四角扁平状の袋体（３）とからなり、袋体（３）の上面に清拭シート（２）を取り出すための取出口（１５）を備える清拭具であって、
袋体（３）は、左右横長の袋基材の左右端部を左右内向きに折り返してなるものであり、清拭シート（２）の下面側を受ける下面部（１０）と、下面部（１０）の右方に連なって清拭シート（２）の上面右方部分を覆う右連出部（１１）と、下面部（１０）の左方に連なって清拭シート（２）の上面左方部分を覆う左連出部（１２）とを有し、右連出部（１１）と左連出部（１２）の前後縁が、下面部（１０）の前後端縁に熱溶着されて、扁平な四角袋状に形成されており、
右連出部（１１）の連出端と左連出部（１２）の連出端とは近接対向されて、両連出端（１１・１２）の間が清拭シート（２）の取出口（１５）とされており、
清拭シート（２）は、左右横長のシート基材の左右端部の少なくともいずれか一方が、上方側に折り返された折片（４ａ・４ｂ）を有しており、
清拭シート（２）を袋体（３）内に収納した状態において、清拭シート（２）の折片（４ａ・４ｂ）の左右端部が、袋体（３）の連出部（１１・１２）の連出端よりも左右内方寄りに位置して、取出口（１５）から上方に臨んでいることを特徴とする清拭具。
【請求項２】
シート基材の右側端部が折り返された第１清拭シート（４）と、シート基材の左側端部が折り返された第２清拭シート（５）とを有し、
これら第１清拭シート（４）と第２清拭シート（５）とが、袋体（３）内において交互に重ねられた状態で収容されている請求項１記載の清拭具。
【請求項３】
前記袋体（３）は、取出口（１５）が上方に向く展開姿勢と、左右の連出部（１１・１２）どうしが対向する状態となるように二つ折状に折り畳んでなる閉じ姿勢との間で、姿勢変形可能に構成されており、
袋基材の左右の連出部（１１・１２）の少なくともいずれか一方に、袋体（３）を閉じ姿勢に保持するための粘着部（１６）が設けられている請求項１又は２記載の清拭具。
【請求項４】
前記清拭シート（２）が、極細繊維を含んだ不織布である請求項３に記載の清拭具。
【請求項５】
前記清拭シート（２）が、紙ティッシュである請求項３に記載の清拭具。
【請求項６】
前記清拭シート（２）が、油取り紙である請求項３に記載の清拭具。
【発明の詳細な説明】
【技術分野】
【０００１】
本発明は、重ねられた複数枚の清拭シートと、これら清拭シートを包装する四角扁平状の袋体とからなり、袋体の上面に清拭シートを取り出すための取出口を備える清拭具に関する。
【背景技術】
【０００２】
束ねた清拭シートと、これを包む扁平な四角形の袋体と、清拭シートを取り出すための袋に形成される取出口とを備えた清拭具は、例えば特許文献１などに公知である。これら清拭具は、所謂ポケットティッシュと称されており、袋体の内部には、複数毎の清拭シートであるティッシュが、折り畳まれた状態で収納されている。
袋体は、左右横長の袋基材の左右端部を左右内向きに折り返してなるものであり、ティッシュの下面側を受ける下面部と、下面部の右方に連なってティッシュの上面右方部分から上面左方部分に伸びる右連出部と、下面部の左方に連なってティッシュの上面左方部分から上面右方部分に伸びる左連出部とを有する。下面部には、ミシン目などの易破断部が入っており、ミシン目に沿って下面部を開くことで、ティッシュの取出口が形成される。
【０００３】
【特許文献１】実開昭５３−３０４７９号公報
【発明の開示】
【発明が解決しようとする課題】
【０００４】
特許文献１のような従来形態のポケットティッシュでは、取出口からティッシュを取り出すためには、ミシン目に沿って切り開かれた下面部の左右の対向部分を広げて、取出口を開放状態とする必要があり、ティッシュの取り出しに手間が掛かる。複数枚のティッシュを取り出すおそれがあり、取出口に臨む最下層のティッシュのみを一枚ずつ取り出すことが困難である点にも不利がある。また、袋体を左右中央部から二つに折り畳むと、取出口からティッシュがはみ出た状態となりやすい。
【０００５】
本発明は、以上のような従来の清拭具の抱える問題を解決するためになされたものであり、取出口からの清拭シートの取り出しを容易に行うことができ、しかも、一枚ずつ確実に清拭シートを袋体から取り出すことができる、新規な清拭具を得ることを目的とする。また、本発明の目的は、袋体を二つ折りとしたときにも収容されている清拭シートが不用意に取出口からはみ出ることのない、新規な清拭具を得ることにある。
【課題を解決するための手段】
【０００６】
本発明は、図１ないし図３に示すように、重ねられた複数枚の清拭シート２と、これら清拭シート２を収納する四角扁平状の袋体３とからなり、袋体３の上面に清拭シート２を取り出すための取出口１５を備える清拭具を対象とする。袋体３は、左右横長の袋基材の左右端部を左右内向きに折り返してなるものであり、清拭シート２の下面側を受ける下面部１０と、下面部１０の右方に連なって清拭シート２の上面右方部分を覆う右連出部１１と、下面部１０の左方に連なって清拭シート２の上面左方部分を覆う左連出部１２とを有し、右連出部１１と左連出部１２の前後縁が、下面部１０の前後端縁に熱溶着されて、扁平な四角袋状に形成されている。右連出部１１の連出端と左連出部１２の連出端とは近接対向されて、両連出端１１・１２の間が清拭シート２の取出口１５とされている。清拭シート２は、左右横長のシート基材の左右端部の少なくともいずれか一方が、上方側に折り返された折片４ａ・４ｂを有している。そして、清拭シート２を袋体３内に収納した状態において、清拭シート２の折片４ａ・４ｂの左右端部が、袋体３の連出部１１・１２の連出端よりも左右内方寄りに位置して、取出口１５から上方に臨んでいることを特徴とする。
【０００７】
図１および図２に示すごとく、シート基材の右側端部が折り返された第１清拭シート４と、シート基材の左側端部が折り返された第２清拭シート５とを有し、これら第１清拭シート４と第２清拭シート５とが、袋体３内において交互に重ねられた状態で収容されている形態を採ることができる。
【０００８】
前記袋体３は、図１および図２に示すごとく、取出口１５が上方に向く展開姿勢と、図３に示すごとく、左右の連出部１１・１２どうしが対向する状態となるように二つ折状に折り畳んでなる閉じ姿勢との間で、姿勢変形可能に構成されており、袋基材の左右の連出部１１・１２の少なくともいずれか一方に、袋体３を閉じ姿勢に保持するための粘着部１６が設けられている形態を採ることができる。
【０００９】
前記清拭シート２は、極細繊維を含んだ不織布とすることができる。極細繊維の具体例としては、アクリル系繊維、ポリエステル系繊維、ナイロン系繊維、ポリプロピレン繊維、ポリエチレン繊維、セルロース繊維等を挙げることができる。繊度としては、０．０１〜０．１デシテックスの範囲にあることが好ましい。これら繊維を混合又は異種繊維と混合させてもよい。極細繊維には、多角断面繊維を用いることが好ましい。すなわち、１本の繊維を径中心から放射状に分割してなる繊維や、１本の繊維を上下方向に層状に分割してなる繊維を採用することが好ましい。このような多角断面繊維で清拭シート２を形成してあると、多角断面に由来するカキ取り効果により、被対象物に付着の脂分や塵埃などを効果的に拭き取ることができる。
【００１０】
前記清拭シート２は、紙ティッシュであってもよい。油取り紙であってもよい。
【発明の効果】
【００１１】
本発明に係る清拭具においては、袋体３を、右連出部１１の連出端と左連出部１２の連出端とを近接対向させて、両連出端の間に清拭シート２の取出口１５を形成した。加えて、清拭シート２は、左右横長のシート基材の左右端部の少なくともいずれか一方が、上方側に折り返された折片４ａ・５ａを有するものとした。そして、清拭シート２を袋体３内に収納した状態において、清拭シート２の折片４ａ・５ａの左右端部が、袋体３の連出部１１・１２の連出端よりも左右内方寄りに位置して、取出口１５から上方に臨むように構成した。このように、清拭シート２の折片４ａ・５ａが取出口１５から上方（外部）に臨んでいると、折片４ａ・５ａを摘んで、これを引き出すだけで、清拭シート２を袋体３から取り出すことができる。したがって、従来の清拭具のように、取出口を開放状態とする必要がなく、より簡単に清拭シート２を袋体３から取り出すことができる。折片４ａ・５ａを掴んで引っ張れば、一枚ずつ確実に、清拭シート２を袋体３から取り出すことができる点でも優れている。
【００１２】
清拭シート２に折片４ａ・５ａを与えていると、清拭シート２の左右中央部の厚み寸法を小さくすることができるので、清拭シート２を左右中央部からきれいに折り畳むことができる。したがって、清拭具１を二つ折りのコンパクトな閉じ姿勢とした際にも、清拭シート２が袋体３の取出口１５から不用意にはみ出るおそれがなく、携帯性に優れた清拭具を得ることができる。
特に、清拭シート２を、シート基材の右側端部が折り返された第１清拭シート４と、シート基材の左側端部が折り返された第２清拭シート５とからなるものとして、これら第１清拭シート４と第２清拭シート５とが、袋体３内において交互に重ねられた状態で収容されている形態としていると、左右中央部の厚み寸法を左右両端部よりも確実に小さくすることができる。したがって、清拭シート２を左右中央部からきれいに二つ折り状に畳むことができる。
【００１３】
また、袋基材の左右の連出部１１・１２の少なくともいずれか一方に、袋体３を閉じ姿勢に保持するための粘着部１６が設けられていると、不用意に袋体３が閉じ姿勢から展開姿勢に姿勢変位することを防ぐことができる。したがって清拭具１をコンパクトな閉じ姿勢のままで携帯することが容易となり、清拭具の携帯性が向上する。また、閉じ状態を保持することにより、取出口１５を左右の連出部１１・１２で塞ぐことができるので、取出口１５から清拭シート２がはみ出ることがなく、したがって携帯時に清拭シート２が汚れることを効果的に防ぐことができる点でも優れている。
【００１４】
清拭シート２が、極細繊維を含んだ不織布であると、極細繊維に由来する塵埃のこそぎ落とし機能および塵埃の捕捉機能により、清拭シート２で被対象物を擦ることで、被対象物に付着の塵埃を確実に拭き取り除去することができる。
【発明を実施するための最良の形態】
【００１５】
図１ないし図４に本発明に係る清拭具の実施形態を示す。図１ないし図３において、清拭具１は、重ねられた複数枚の清拭シート２と、これら清拭シート２を収納する四角扁平状の袋体３とで構成される。
清拭シート２は、極細繊維を含んだ不織布をシート基材とするものであり、図１に示すように、該シート基材の右端部を上方に折り返してなる折片４ａを有する第１清拭シート４と、シート基材の左端部を上方に折り返してなる折片５ａを有する第２清拭シート５とが、交互に重ねられた状態で袋体３内に収容される。シート基材は左右横長の長方形状を呈しており、その左右および前後寸法、および折り返した状態における、第１および第２清拭シート４・５の左右および前後寸法は同一寸法となるようにしてある。また、折片４ａ・５ａの左右寸法は、折り返した状態における第１および第２清拭シート４・５の左右寸法の２分の１よりも小さく設定してある。
【００１６】
図１および図２に示すように、袋体３は、左右横長の樹脂製の袋基材の左右端部を左右内向きに折り返してなるものであり、清拭シート２の下面側を受ける下面部１０と、下面部１０の右方に連なって清拭シート２の上面右方部分を覆う右連出部１１と、下面部１０の左方に連なって清拭シート２の上面左方部分を覆う左連出部１２とを有し、右連出部１１と左連出部１２の前後縁が、下面部１０の前後端縁に熱溶着されて、扁平な四角袋状に形成されている。右連出部１１の連出端と左連出部１２の連出端とは近接対向されて、両連出端１１・１２の間が清拭シート２の取出口１５とされている。図１において、符号１３は、熱溶着部分を示す。
【００１７】
清拭シート２を袋体３内に収納した状態において、清拭シート２の折片４ａ・５ａの左右端部は、袋体３の左右の連出部１１・１２の連出端よりも左右内方寄りに位置して、取出口１５から上方に臨んでいる。つまり、シート基材の右端部を折り返してなる第１清拭シート４の折片４ａの左端部は、袋体３の右連出部１１の連出端よりも左寄りにあり、取出口１５から上方に臨むようになっている。かかる第１清拭シート４を取り出すと、シート基材の左端部を折り返してなる第２清拭シート５の折片５ａの右端部は、袋体３の左連出部１２の連出端よりも右寄りにあり、取出口１５から上方に臨むようになっている。しかるに、最上層に位置する清拭シート２は、常にその折片４ａ・５ａの左右端部が取出口１５から上方に臨むものとなる。
【００１８】
以上のような構成からなる清拭具１は、図１および図２に示すように、取出口１５が上方に向く展開姿勢と、図３に示すように、左右の連出部１１・１２どうしが対向する状態となるように、左右中央部から二つ折り状に折り畳んでなる閉じ姿勢との間で、姿勢を変えることができる。図１ないし図３において、符号１６は、袋体３を閉じ姿勢に保持することを目的として、左連出部１２の上面二箇所に設けられた粘着部を示す。粘着部１６は、ホットメルトタイプの接着剤を塗布してなるものであり、図２に示すように、粘着部１６の表面に形成された剥離シート１７を剥がして、粘着部１６を露出させたうえで、図３に示すように、清拭具１の全体を左右中央部から折り畳んで閉じ姿勢とすることで、粘着部１６が右連出部１１の表面に粘着し、これにて、清拭具１を閉じ姿勢に姿勢保持することができるようになっている。
【００１９】
図４は、清拭具１の製造方法の一例を示しており、そこではまず、ロール体２０から繰り出されたウエブ状の袋基材の上面に、予め折片４ａ・５ａが形成された所定枚数の第１および第２清拭シート４・５を重ねてなる清拭シート２の束を載置する（Ｓ１）。次に、袋基材の幅方向の両端を上方に折り返す（Ｓ２）。ここでは、折り返された連出部１１・１２の連出端が、清拭シート２の折片４ａ・５ａの端部よりも幅方向の外側に位置するようにする。
【００２０】
次に、一方の連出端の上面に、ホットメルトタイプの接着剤を塗布して粘着部１６を形成するとともに、粘着部１６の表面に剥離シート１７を添着させる（Ｓ３）。次に、隣り合う清拭シート２の間に位置する袋基材に対して熱溶着を施す（Ｓ４）。かかる熱溶着工程においては、袋基材の流れ方向に所定の寸法だけ熱溶着を行って、連出部１１・１２の裏面と下面部１０の上面とを溶着させる。最後に、熱溶着部分をカットすることにより（Ｓ５）、図１に示すような清拭具１を得ることができる。
【００２１】
本実施形態に係る清拭具１によれば、清拭シート２を袋体３内に収納した状態において、該清拭シート２の折片４ａ・５ａの左右端部が、袋体３の連出部１１・１２の連出端よりも左右内方寄りに位置して、取出口１５から上方に臨むように構成したので、取出口１５に臨む折片４ａ・５ａを摘んで、これを引き出すだけで、一枚ずつ確実に清拭シート２を袋体３から取り出すことができる。したがって、従来の清拭具（ポケットティッシュ）のように、複数枚の清拭シートが不用意に取り出される不具合は生じない。また、従来の清拭具（ポケットティッシュ）のように、清拭シート（ティッシュ）の取り出しに際して、取出口を開放状態とする必要がなく、より簡単に清拭シート２を袋体３から取り出すことができる。
【００２２】
シート基材の右側端部が折り返された第１清拭シート４と、シート基材の左側端部が折り返された第２清拭シート５とを、袋体３内に交互に重ねられた状態で収容したので、袋体３内の束状の清拭シート２の左右中央部の厚み寸法を左右両端部よりも小さなものとすることができる。したがって、清拭具１の全体を左右の中央部から二つ折り状に折り畳んで閉じ姿勢とすることが容易となり、閉じ姿勢とした際にも、清拭シート２の全体を厚み寸法の小さな左右中央部からきれいに折り畳むことができる。したがって、図３に示すように清拭具１を二つ折りのコンパクトな閉じ姿勢とした際にも、清拭シート２が袋体３の取出口１５から不用意にはみ出るおそれがなく、携帯性に優れた清拭具１を得ることができる。
【００２３】
袋基材の左右の連出部の少なくともいずれか一方に、袋体３を閉じ姿勢に保持するための粘着部１６が設けられていると、不用意に袋体３が閉じ姿勢から展開姿勢に変位することを防ぐことができる。したがって清拭具１をコンパクトな閉じ姿勢のままで携帯することが容易となり、清拭具１の携帯性が向上する。また、閉じ状態を保持することにより、取出口１５を左右の連出部１１・１２で塞ぐことができるので、取出口１５から清拭シート２がはみ出ることがなく、したがって清拭シート２が汚れるおそれがない点でも優れている。
【００２４】
この清拭具１は、図３に示すような閉じ姿勢とすることで携帯性に優れたコンパクトな形態とすることができるものでありながら、図１および図２に示すような展開姿勢としたときには、大きな下面部１０が形成される。したがって、清拭シート２とともに大きな広告シートを袋体３内に収納することが可能であり、装飾効果や訴求効果の向上を図ることができる。
【００２５】
清拭シート２が、極細繊維を含んだ不織布であると、極細繊維に由来する塵埃のこそぎ落とし機能および塵埃の捕捉機能により、清拭シート２で被対象物を擦ることで、被対象物に付着の塵埃を確実に拭き取り除去することができる。かかる清拭具は、携帯電話、携帯型ゲーム機などの各種携帯機器のワイピンググッズとして好適である。
【００２６】
図５（ａ）〜（ｄ）に、本発明に係る清拭具の変形例を示す。図５（ａ）に示す清拭シート２では、シート基材の左右両端を上方に折り返して、各清拭シート２が左右に折片４ａ・４ｂを有するものとしている。図５（ｂ）では、シート基材の左右の一方端を上方に折り返して折片４ａとし、左右の他方端は、下方に折り返している。図５（ｃ）では、シート基材を二つ折りしたうえで、さらに上方側に位置するシートの遊端側を上方に折り返して折片４ａ・５ａを形成している。図５（ｄ）では、図１の第１清拭シート４のみで清拭シート２を形成している。いずれにおいても、清拭シート２の折片４ａ・４ｂ・５ａの左右端部は、袋体３の連出部１１・１２の連出端よりも左右内方寄りに位置して、取出口１５から上方に臨むようにする。
【００２７】
上記実施形態においては、清拭シート２を極細繊維を含んだ不織布で形成したが、本発明はこれに限られず、紙ティッシュ、油取り紙、靴磨き用シート、口紅等のメイク落としシートなどを清拭シート２としてもよい。
【図面の簡単な説明】
【００２８】
【図１】本発明に係る清拭具の平面図であり、展開姿勢とした状態を示す。
【図２】本発明に係る清拭具の縦断側面図であり、図１のＡ−Ａ線断面図である。
【図３】本発明に係る清拭具の縦断側面図であり、閉じ姿勢とした状態を示す。
【図４】清拭具の製造方法を説明するための図である。
【図５】（ａ）〜（ｄ）は、本発明に係る清拭具の変形例を示す、清拭シートの縦断側面図である。
【符号の説明】
【００２９】
１  清拭具
２  清拭シート
３  袋体
４  第１清拭シート
４ａ  折片
５  第２清拭シート
５ａ  折片
１０  下面部
１１  右連出部
１２  左連出部
１５  取出口
１６  粘着部
【図１】
2009201870.tif 000003
【図２】
2009201870.tif 000004
【図３】
2009201870.tif 000005
【図４】
2009201870.tif 000006
【図５】
2009201870.tif 000007